(57)【要約】【課題】ユーザにとって他者に対して公開したい情報と公開したくない情報とを分けて、複数の情報のうち選択された情報を公開するように表示部に表示させる。【解決手段】表示装置が、第１の出力部によって第１の表示部に出力される情報が記憶される第１の記憶部と、第２の出力部によって前記第１の表示部とは異なる第２の表示部に出力される情報が記憶される第２の記憶部と、入力される複数の情報を前記第１の記憶部に記憶させ、前記複数の情報のうち選択された前記情報を前記第２の記憶部に記憶させる制御部とを備える。【選択図】図１
2011191674.tif 000002
【特許請求の範囲】
【請求項１】
第１の出力部によって第１の表示部に出力される情報が記憶される第１の記憶部と、
第２の出力部によって前記第１の表示部とは異なる第２の表示部に出力される情報が記憶される第２の記憶部と、
入力される複数の情報を前記第１の記憶部に記憶させ、前記複数の情報のうち選択された前記情報を前記第２の記憶部に記憶させる制御部と、
を備えることを特徴とする表示装置。
【請求項２】
前記第１の出力部は、前記第１の記憶部に記憶された前記情報を、入力される操作に応じて前記第１の表示部に表示させ、
前記第２の出力部は、前記第２の記憶部に記憶された前記情報を、一定時間毎に順次前記第２の表示部に表示させる
ことを特徴とする請求項１に記載された表示装置。
【請求項３】
前記制御部は、
前記複数の情報のうち、前記第２の出力部に出力する情報を識別する識別情報に基づいて、前記複数の情報のうち、前記第２の記憶部に記憶させる情報を選択する
ことを特徴とする請求項１または請求項２に記載された表示装置。
【請求項４】
前記制御部は、
前記識別情報によって識別される前記情報を、前記第１の記憶部を介して前記第１の表示部に表示させ、当該情報の選択が確認されたことを示す確認情報が入力されると、当該情報を前記第２の記憶部に記憶させる
ことを特徴とする請求項３に記載された表示装置。
【請求項５】
第１の出力部によって第１の表示部に出力される画像が記憶される第１の記憶部と、
第２の出力部によって前記第１の表示部とは異なる第２の表示部に出力される画像が記憶される第２の記憶部と、
画像を撮像する撮像部と、
前記撮像部によって撮像される複数の前記画像を前記第１の記憶部に記憶させ、前記複数の画像のうち選択された前記画像を前記第２の記憶部に記憶させる制御部と、
を備えることを特徴とする撮像装置。
【請求項６】
第１の出力部によって第１の表示部に出力される情報が記憶される第１の記憶部と、第２の出力部によって前記第１の表示部とは異なる第２の表示部に出力される情報が記憶される第２の記憶部とを備えた表示装置のコンピュータに、
入力される複数の情報を前記第１の記憶部に記憶させ、前記複数の情報のうち選択された前記情報を前記第２の記憶部に記憶させるステップ
を実行させる表示プログラム。
【発明の詳細な説明】
【技術分野】
【０００１】
本発明は、表示部に情報を表示する技術に関する。
【背景技術】
【０００２】
予め生成された複数の画像等の情報を表示部に表示する際、表示装置は複数の情報を順次表示部に表示させる。特許文献１には、予め作成されたファイルの管理情報を含むインデックスファイルと、記録媒体に記憶されているファイルの記録状態との不整合の有無を検出する技術が記載されている。
【先行技術文献】
【特許文献】
【０００３】
【特許文献１】特開２００６−２３６１６１号公報
【発明の概要】
【発明が解決しようとする課題】
【０００４】
しかしながら、表示部に表示させる複数の情報のうちには、ユーザにとって他者に対して公開したい情報と公開したくない情報とが存在する場合がある。
【０００５】
本発明は、このような状況に鑑みてなされたもので、複数の情報のうち選択された情報を公開するように表示部に表示させる表示装置、撮像装置および表示プログラムを提供する。
【課題を解決するための手段】
【０００６】
上述した課題を解決するために、本発明は、第１の出力部によって第１の表示部に出力される情報が記憶される第１の記憶部と、第２の出力部によって第１の表示部とは異なる第２の表示部に出力される情報が記憶される第２の記憶部と、入力される複数の情報を第１の記憶部に記憶させ、複数の情報のうち選択された情報を第２の記憶部に記憶させる制御部と、を備えることを特徴とする。
【発明の効果】
【０００７】
以上説明したように、本発明によれば、複数の情報を第１の記憶部に記憶させることにより第１の表示部に出力させる一方、複数の情報のうち選択された情報を第２の記憶部に記憶させることにより第２の表示部に出力させるようにしたので、複数の情報のうち選択された情報を公開するように表示部に表示させる表示装置、撮像装置および表示プログラムを提供することができる。
【図面の簡単な説明】
【０００８】
【図１】本発明の一実施形態による撮像装置の構成例を示すブロック図である。
【図２】本発明の一実施形態による撮像装置の動作例を示すフローチャートである。
【図３】本発明の一実施形態による撮像装置の動作例を示すフローチャートである。
【図４】本発明の一実施形態による表示装置の構成例を示すブロック図である。
【発明を実施するための形態】
【０００９】
以下、本発明の一実施形態について、図面を参照して説明する。
図１は、本実施形態による撮像装置１の構成を示すブロック図である。撮像装置１は、撮像部１０と、メモリー２０と、メモリー制御回路２１と、操作検出回路３０と、操作検出回路３０と、モニター４０と、ビデオ出力部５１と、ＨＤＭＩ出力部５２と、画像処理エンジン６０とを備えている。
【００１０】
撮像部１０は、光学系１１と、撮像素子１２と、映像回路１３と、光学系制御回路１４とを備えており、光学系１１による光学像（被写体像）を撮像し、画像信号を生成して出力する。光学系１１は、撮像素子１２の受光面に光学像を導く。光学系１１は、光学系制御回路１４に駆動されることで、撮像する倍角や画角を変更する。また、光学系１１は、例えば、焦点を調整する機能を有するフォーカスレンズ、手ブレによる像揺れを補正する機能を有する手ブレ防止レンズ、シャッター等を備えている。
【００１１】
撮像素子１２は、光電変換面を備え、光学系１１により光電変換面の受光面に結像した光学像を電気信号に変換する。撮像素子１２は、例えば、ＣＣＤ（Charge Coupled Device）、ＣＭＯＳ（Complementary Metal Oxide Semiconductor）等である。
映像回路１３は、撮像素子１２から出力される画像信号を増幅し、デジタル信号に変換して画像情報を生成する。
【００１２】
光学系制御回路１４は、光学系１１を駆動させて撮像素子１２への光量を調節する。光学系制御回路１４は、例えば、フォーカスレンズを制御して自動的に焦点を調整するオートフォーカス制御機能、シャッターの開閉を制御するシャッター制御機能、絞りを制御して自動的に露出を調整するＡＥ制御機能等を備えている。
【００１３】
メモリー２０は、撮像部１０によって撮像され、画像処理エンジン６０によって画像処理された画像が記憶される記憶部である。また、メモリー２０には、公開画像リスト生成部６５によって生成される公開画像リストが記憶される。メモリー２０は、例えばメモリーカードなど撮像部１００に対して抜き差し可能な記憶媒体であり、画像処理エンジン６０によって画像処理された複数の画像が記憶される。このように、画像とともに公開画像リストをメモリー２０に記憶させることにより、メモリー２０を他の撮像装置に差した場合にも、他の撮像装置において公開画像リストを読み出して出力処理を行うことで、再度の公開設定処理を行う必要がなくなる。
【００１４】
メモリー制御回路２１は、メモリー２０と画像処理エンジン６０との情報の入出力を制御する。メモリー制御回路２１は、例えば、画像処理エンジン６０によって画像処理された画像をメモリー２０に記憶させる処理や、メモリー２０に記憶されている画像等の情報を読み出して画像処理エンジン６０に出力する処理などを行う。
【００１５】
操作検出回路３０は、電源スイッチ３１ａ、レリーズスイッチ３１ｂ、・・・３１ｎなどの入力部を備え、入力部にユーザから入力される操作情報を、制御信号として画像処理エンジン６０に出力する。
モニター４０は、画像を表示するディスプレイであり、例えば、ＬＣＤ（Liquid Crystal Display）などの液晶ディスプレイである。
【００１６】
ビデオ出力部５１は、外部の表示装置に画像を出力する端子である。ビデオ出力部５１は、接続されるピン端子に対して画像を出力する。
ＨＤＭＩ出力部５２は、マルチメディアインタフェースであるＨＤＭＩ（High-Definition Multimedia Interface）に基づく出力端子である。ＨＤＭＩ出力部５２は、接続されるピン端子に対して画像を出力する。ビデオ出力部５１やＨＤＭＩ出力部５２には、例えばテレビやプロジェクタなどの外部の表示装置（表示部）からの入力端子が接続される。
【００１７】
画像処理エンジン６０は、自身が備える不揮発メモリーに予め記憶されたプログラムに基づいて撮像装置１の各部の動作を制御する。画像処理エンジン６０は、例えばＣＰＵ（Central Processing Unit）等の演算部やＳＤＲＡＭ（Synchronous Dynamic Random Access Memory）等の記憶部等により構成される。画像処理エンジン６０は、例えば、ユーザの操作に応じて操作検出回路３０から入力される制御信号に応じて、撮像装置１への電源の投入、光学系制御回路１４を介した光学系１１の駆動制御、撮像素子１２や映像回路１３の駆動制御、モニター出力部６７を介したモニター４０の表示制御等を行う。画像処理エンジン６０は、画像処理部６１と、モニター表示画像記憶部６２と、公開画像記憶部６３と、公開画像リスト記憶部６４と、公開画像リスト生成部６５と、画像登録部６６と、モニター出力部６７と、外部出力部６８とを備えている。
【００１８】
画像処理部６１は、映像回路１３から出力された画像情報を、自身の記憶領域に一時的に記憶（バッファリング）し、画像を生成する画像処理を行う。
モニター表示画像記憶部６２には、モニター出力部６７を介してモニター４０に表示される画像が記憶される。
公開画像記憶部６３には、外部出力部６８によってビデオ出力部５１またはＨＤＭＩ出力部５２に出力され、外部の表示装置に出力される画像が記憶される。
【００１９】
公開画像リスト記憶部６４には、外部出力部６８に出力する画像を識別する識別情報が含まれる情報である公開画像リストが記憶される。公開画像リストには、メモリー２０に記憶された画像のうち、外部出力部６８に出力することが定められた画像である公開画像のファイルの所在を示すパス情報が含まれる。
【００２０】
公開画像リスト生成部６５は、モニター出力部６７によってモニター４０に表示される画像に応じてユーザから操作検出回路３０に入力される操作情報に基づいて、公開画像リストを生成し、公開画像リスト記憶部６４に記憶させる。
【００２１】
画像登録部６６は、メモリー２０に記憶された複数の画像を、メモリー制御回路２１を介して読み出してモニター表示画像記憶部６２に記憶させ、複数の画像のうち選択された画像を公開画像記憶部６３に記憶させる。ここで、画像登録部６６は、公開画像リスト記憶部６４に記憶された公開画像リストに基づいて、メモリー２０に記憶された複数の画像のうち、公開画像リストに示される画像を選択して読み出し、公開画像記憶部６３に記憶させる。ここで、モニター表示画像記憶部６２に記憶された画像は、モニター出力部６７によって出力され、モニター４０に表示される。一方、公開画像記憶部６３に記憶された画像は、外部出力部６８によって出力され、外部の表示装置に表示される。これにより、例えば撮像装置１のユーザは、メモリー２０に記憶された複数の画像を、自身が持つ撮像装置１のモニター４０に表示させて表示内容を確認する一方、操作によって選択した画像のみを外部の表示装置に表示させることができる。これにより、ユーザは、例えば、撮像装置１により撮像した画像を外部の表示装置に表示させて他者に見せようとする場合、ブレのある画像や、複数の同内容の画像などを外部の表示装置に表示させないようにすることができる。
【００２２】
また、画像登録部６６は、公開画像リストに基づいてメモリー２０から画像を読み出す際、読み出した画像を一旦モニター表示画像記憶部６２に記憶させ、読み出した画像をモニター出力部６７に出力させる。そして、画像がユーザによって確認されたことを示す確認情報が操作検出回路３０に入力されると、確認された画像を公開画像記憶部６３に記憶させる。このように、画像登録部６６は、公開画像リストに含まれる識別情報に応じてメモリー２０から読み出される画像を、一旦モニター４０に表示させ、ユーザによって確認された後に公開画像記憶部６３に記憶させて外部に出力させる。これにより、例えば、公開画像リストによって示される画像のパスが、公開設定が行われた際の画像と異なる画像を示すものとなっている場合に、画像の内容をユーザに確認させることが可能となる。
【００２３】
例えば、ＰＣ（パーソナルコンピュータ）などの操作によってメモリー２０に記憶される画像のファイル名が変更された場合には、公開設定が行われた際に公開画像リストに記憶されたパスが、公開設定時の画像と異なる画像を示すものとなることが考えられる。また、例えば画像処理エンジン６０によって生成された画像のファイル名が生成される際、画像処理エンジン６０が、ファイル名が一意になるように、メモリー２０に存在しない例えば連番のファイル名を付与する場合がある。この場合には、ファイルが一旦作成された後に、そのファイルが削除された場合、削除されたファイルと同一のファイル名が新たに付与されることがある。そこで、このように画像が出力される段階でユーザに確認させることにより、公開設定が行われた際に公開画像リストに記憶されたパスが公開設定時の画像と異なる画像を示すものとなっている場合に、ユーザが意図しない画像が外部の表示装置に表示されることを防ぐことが可能となる。
【００２４】
モニター出力部６７は、モニター表示画像記憶部６２に記憶された画像をモニター１５に表示させる処理や、モニター４０の点灯、消灯や明るさ調整などの表示制御処理等を行う。モニター出力部６７は、モニター表示画像記憶部６２に記憶された画像を読み出してモニター４０に出力する。ここでは、モニター出力部６７は、モニター表示画像記憶部６２に記憶された複数の画像を、画像のファイル名や生成日時などの情報に応じて順次モニター４０に出力する。この際、モニター出力部６７は、例えばユーザからページ送りを示す情報が操作検出回路３０に入力される毎に、異なる画像をモニター表示画像記憶部６２から読み出してモニター４０に出力する。
【００２５】
外部出力部６８は、公開画像記憶部６３に記憶された画像を、一定時間毎に外部の表示装置に表示させる。例えば、外部出力部６８は、いわゆるスライドショーの機能を備えており、公開画像記憶部６３に記憶された複数の画像を、一定時間（例えば、５秒）の間隔毎に読み出してビデオ出力部５１またはＨＤＭＩ出力部５２に出力する。ここでは、モニター出力部６７が、モニター表示画像記憶部６２に記憶された画像をユーザからの操作に応じてモニター４０に表示させる一方、外部出力部６８が、公開画像記憶部６３に記憶された画像を一定時間毎に自動的に外部の表示装置に出力する。これにより、例えばユーザは撮像装置１を操作して画像の公開設定の操作を行う作業を、公開設定された画像が外部の表示装置に表示される処理と並行して行うことができる。
【００２６】
次に、図面を参照して撮像装置１の動作例を説明する。図２は、撮像装置１により公開画像リストが生成される動作例を示すフローチャートである。ここで、撮像装置１は、ユーザからの操作入力によってモニター４０に画像が表示される際と、ページ送りによって新たな画像がモニター４０に表示される際とに、以下の公開設定処理を実行する。まず、画像登録部６６は、メモリー制御回路２１を介してメモリー２０に記憶された複数の画像のうち、一枚の画像を読み出し、モニター表示画像記憶部６２に記憶させる（ステップＳ１）。モニター出力部６７は、ステップＳ１においてモニター表示画像記憶部６２に記憶された画像を、モニター４０に出力して表示させる（ステップＳ２）。
【００２７】
公開画像リスト生成部６５は、モニター４０に表示された設定対象画像の公開設定を行うか否かを示す情報の入力を促す画面を、モニター４０に表示させる。操作検出回路３０は、ステップＳ２においてモニター４０に表示された設定対象画像の公開設定を行うか否かを示す情報の入力を受付ける（ステップＳ３）。ここで、公開設定が入力されなければ（ステップＳ３：ＮＯ）、処理を終了する。公開設定が入力されれば（ステップＳ３：ＹＥＳ）、公開画像リスト生成部６５は、設定対象画像の識別情報であるパスを、公開画像リスト記憶部６４に含まれる公開画像リストに追加して記憶させる（ステップＳ４）。
【００２８】
また、画像登録部６６は、ステップＳ４において公開設定された画像が、公開画像記憶部６３に記憶されているか否かを判定する（ステップＳ５）。画像登録部６６が、公開設定された画像は公開画像記憶部６３に記憶されていると判定すると（ステップＳ５：ＹＥＳ）、処理を終了する。一方、画像登録部６６が、公開設定された画像は公開画像記憶部６３に記憶されていないと判定すると（ステップＳ５：ＮＯ）、公開設定された画像を公開画像記憶部６３に記憶させ（ステップＳ６）、処理を終了する。
【００２９】
図３は、撮像装置１が公開画像リストに基づいて画像を出力する動作例を示すフローチャートである。撮像装置１に電源が投入され、撮像装置１が再生モードである場合、画像登録部６６は、メモリー２０に記憶された複数の画像を読み出し、モニター表示画像記憶部６２に記憶させる（ステップＳ１１）。モニター出力部６７は、ステップＳ１１においてモニター表示画像記憶部６２に記憶された画像を、モニター４０に出力して表示させる（ステップＳ１２）。
【００３０】
外部出力部６８は、ビデオ出力部５１またはＨＤＭＩ出力部５２に端子の接続があり公開モードであるか否かを判定する（ステップＳ１３）。ここで、ビデオ出力部５１またはＨＤＭＩ出力部５２に端子の接続がなければ（ステップＳ１３：ＮＯ）、外部出力部６８は、処理を終了する。ビデオ出力部５１またはＨＤＭＩ出力部５２に端子が接続されていれば（ステップＳ１３：ＹＥＳ）、画像登録部６６は、メモリー２０に記憶された公開画像リストを読み出し、公開画像リスト記憶部６４に記憶させる。画像登録部６６は、公開画像リスト記憶部６４に公開画像リストが記憶されているか否かを判定する（ステップＳ１４）。ここで、公開画像リストが記憶されていなければ（ステップＳ１４：ＮＯ）、処理を終了する。
【００３１】
ステップＳ１４において、画像登録部６６が、公開画像リスト記憶部６４に公開画像リストが記憶されていると判定すれば（ステップＳ１４：ＹＥＳ）、画像登録部６６は、公開リストに含まれる公開画像識別情報（パス）の全てについて、ステップＳ１５〜ステップＳ１８までの公開確認処理を繰り返す。画像登録部６６は、モニター４０に表示された画像を公開するか否かを示す情報の入力を促す画面を、モニター４０に表示させる。操作検出回路３０は、ステップＳ１４においてモニター４０に表示された画像を公開するか否かを示す情報の入力を受付ける（ステップＳ１６）。操作検出回路３０に、画像を公開することを示す情報が入力されると（ステップＳ１６：ＹＥＳ）、画像登録部６６は、画像を公開画像記憶部６３に記憶させる（ステップＳ１７）。操作検出回路３０に、画像を公開しないことを示す情報が入力されると（ステップＳ１６：ＮＯ）、画像登録部６６は、画像を公開画像記憶部６３に記憶させずに次の処理を行う。
【００３２】
公開リストに含まれるパスの全てについて、ステップＳ１５〜ステップＳ１８までの公開確認処理が行われると、外部出力部６８は、公開画像記憶部６３に画像が記憶されているか否かを判定する（ステップＳ１９）。外部出力部６８が、公開画像記憶部６３に画像が記憶されていると判定すると（ステップＳ１９：ＹＥＳ）、外部出力部６８は、公開画像記憶部６３に記憶された画像を、ビデオ出力部５１またはＨＤＭＩ出力部５２に出力する（ステップＳ２０）。公開画像記憶部６３に画像が記憶されていないと判定すると（ステップＳ１９：ＮＯ）、外部出力部６８は、画像の出力処理を行わずに、処理を終了する。
【００３３】
なお、ステップＳ１７において画像登録部６６が画像を公開画像記憶部６３に記憶させる際には、メモリー２０における画像のパスと、公開画像記憶部６３における画像のパスとが異なるものとなる場合、パスの対応関係を示す情報を生成して、公開画像リスト記憶部６４に記憶させるようにしても良い。ただし、例えば公開画像記憶部６３における画像に、メモリー２０における画像のパスと同一のファイル名を付与するなど、一定の法則に基づいてパス名を付与することにより対応付けを行っても良い。
【００３４】
また、ここでは公開画像リストの生成処理と、表示装置への出力処理を分けて説明したが、両処理は並行して行うようにして良い。すなわち、撮像装置１は、ユーザからの操作を受付けて公開設定処理を行う一方、公開設定された画像の外部出力処理を並行して行うようにして良い。これにより、例えば公開画像を選択する選択者とは別に、公開された画像の説明を行う説明者が存在するような場合、画像の選択によって説明者の説明を妨げることがない。
【００３５】
また、画像登録部６６がメモリー２０から読み出した画像を公開画像記憶部６３に記憶させる際、公開画像記憶部６３のメモリサイズが小さい場合には、公開用の画像の全てを公開画像記憶部６３に記憶させることができない場合がある。この場合、画像登録部６６は、公開画像リストに基づいて次に出力する画像を予測して読み込んでおくことで、メモリー２０へのアクセスの競合を低減させるようにしても良い。
また、画像登録部６６が画像を公開画像記憶部６３に記憶させる際、外部出力部６８が画像を出力する出力先に応じて画像サイズを最適化して記憶させるようにしても良い。
【００３６】
また、本実施形態では、ユーザから操作検出回路３０に入力される操作に基づいて画像を公開するか否かを判定する例を示したが、画像登録部６６によってメモリー２０から読み出される画像を、公開画像リスト生成部６５が読み込んで、画像の内容等に基づいて公開するか否かを判定するようにしても良い。例えば、一定時間以上の間、ユーザがモニター４０に表示させていた画像は、ユーザによって重要度の高い画像であると思われる。そこで、公開画像リスト生成部６５は、メモリー２０に記憶されている各画像がモニター４０に表示された時間を記憶しておき、表示時間の長さに応じて画像を公開するか否かを判定する。このとき、公開画像リスト生成部６５は、一定時間以上の間、モニター４０に表示された画像を公開すると判定し、その画像のパスを公開画像リスト生成部６５に記憶された公開画像リストに追加する。
【００３７】
あるいは、例えば、公開画像リスト生成部６５は、画像登録部６６によって読み出された画像の画像解析を行い、ブレの無い画像を選択して公開設定を行うようにしても良い。また、画像に含まれる人物が眼をつぶってない画像を選択して、公開設定を行うようにしても良い。また、画像に含まれる人物が笑っている画像を選択して、公開設定を行うようにしても良い。また、同様の複数の画像のうち、画像に含まれる人物の数がより多い画像を選択して、公開設定を行うようにしても良い。また、特定の人物の顔画像を予め記憶しておき、記憶した顔画像とメモリー２０から読み出された画像とを比較して、特定の人物が含まれる画像を選択して、公開設定を行うようにしても良い。
【００３８】
また、ここでは、撮像装置１が公開設定処理と外部出力処理とを行う例を示したが、撮像装置１とは異なるコンピュータ装置がこれらの処理を行うように構成しても良い。図４は、このような構成による表示装置２の例を示す図である。表示装置２が備える各部は、撮像装置１が備える同名の各部と同様の構成である。ただし、入力部１３１ａや入力部１３１ｂは、キーボードやマウスなどのデバイスである。
【００３９】
また、各処理部の機能を実現するためのプログラムをコンピュータ読み取り可能な記録媒体に記録して、この記録媒体に記録されたプログラムをコンピュータシステムに読み込ませ、実行することにより、各部により実行される処理を行ってもよい。なお、ここでいう「コンピュータシステム」とは、ＯＳや周辺機器等のハードウェアを含むものとする。
【００４０】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリーのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４１】
１…撮像装置、１０…撮像部、６０…画像処理エンジン、６２…モニター表示画像記憶部、６３…公開画像記憶部、６６…画像登録部、６７…モニター出力部、６８…外部出力部、２…表示装置、１６０…画像処理エンジン、１６２…モニター表示画像記憶部、１６３…公開画像記憶部、１６６…画像登録部、１６７…モニター出力部、１６８…外部出力部
【図１】
2011191674.tif 000003
【図２】
2011191674.tif 000004
【図３】
2011191674.tif 000005
【図４】
2011191674.tif 000006